(57)【要約】【課題】  本発明は、蓋部材を回動せずにテストプローブを挿入することができるよう作業性の向上を図るコントロラーモジュールを提供することを目的とする。【解決手段】  コントロラーモジュール３は、中空筐体３０内の電子制御回路装置８によって外部の電気装置を制御する。電子制御回路装置は、接続端子を有し、筐体には開口部を開設してある。開口部にて端子装置９が、接続端子に脱着可能に接続され、一端にプラグ部が形成され、他端に受入座９３が設けられ、上部にテストプローブを挿入するための嵌挿孔が設けられている。また、端子装置を覆うように、蓋部材が設けられ、一端に支軸が凸設され、他端には、端縁部を折曲げて端子装置が前記開口部から脱離しないように係止する係止部が形成されると共に、蓋面に前記嵌挿孔に対応して通孔が設けられ、テストプローブを、蓋部材を回動せずに直接通孔を通して嵌挿孔に抜差し可能に構成される。【選択図】      図１
2005134980.tif 000002
【特許請求の範囲】
【請求項１】
中空筐体内に収納してある電子制御回路装置によって外部からの入力信号に応答して外部の電気装置を制御するものであって、
前記電子制御回路装置に外部端子と接続されるための接続端子を有し、前記筐体に前記接続端子を露出させるための開口部を開設してあり、
前記開口部にて端子装置が、前記接続端子に脱着可能に接続され、前記端子装置の一端に前記接続端子に接続されるプラグ部が形成され、他端に前記外部からの入力信号を入れるための受入座が設けられると共に、上部に外部のテストプローブを挿入するための嵌挿孔が設けられ、
前記端子装置を覆うように、蓋部材が設けられ、該蓋部材の一端に前記筐体に枢支される支軸が凸設され、他端には、端縁部を折曲げて前記端子装置が前記開口部から脱離しないように係止する係止部が形成されると共に、蓋面に前記嵌挿孔に対応して通孔が設けられ、
前記外部のテストプローブを、前記蓋部材を回動せずに直接前記通孔を通して前記嵌挿孔に抜差し可能に構成されることを特徴とするコントロラーモジュール。
【請求項２】
前記中空筐体は、前記開口部寄りの端縁から窪んで前記蓋部材の支軸を枢支するための穴部が設けられている請求項１に記載のコントロラーモジュール。
【請求項３】
前記穴部は、その入り口が奥の窪みより狭く形成されている請求項２に記載のコントロラーモジュール。
【請求項４】
前記蓋部材は、さらに前記蓋面より前記係止部越しに延びて折れ曲がった遮蔽板部が、前記端子装置の受入座を遮蔽するように形成されている請求項１に記載のコントロラーモジュール。
【請求項５】
前記遮蔽板部の下部には、外部端子を前記受入座に挿入できるよう切欠きが設けられている請求項４に記載のコントロラーモジュール。
【発明の詳細な説明】
【技術分野】
【０００１】
本発明は、コントロラーモジュールに関し、特に、外部電子装置からの入力信号に応答して例えば電気装置を制御するコントロラーモジュールに関する。
【背景技術】
【０００２】
図６及び図７は、入力信号に応答して電気装置（図示せず）を制御する従来のコントロラーモジュール例を示している。このコントロラーモジュール１は、ケース状上蓋部１２と、前記上蓋部１２に着脱自在に覆われて前記上蓋部１２と共に中空の収容空間を画成しているケース状下蓋部１１とにより構成されている筐体１０内に収納してある電子制御回路装置１３により、外部からの入力信号に応答して前記電気装置を制御するものである。前記電子制御回路装置１３は、複数の外部端子と接続されるための接続端子１３１、１３１を有している。前記筐体１０の頂端側に各前記接続端子１３１を露出させるための開口部１２１、１２１を開設しており、それぞれの開口部１２１両側壁に一直線に相対する小穴１２２、１２２が設けられている。
【０００３】
前記筐体１０の前記両開口部１２１、１２１で、端子装置１４、１４がそれぞれ、前記接続端子１３１、１３１に脱着可能に接続されている。それぞれの前記端子装置１４の一端に前記接続端子１３１に接続されるプラグ部１４０が形成され、他端に複数の前記外部からの入力信号を入れるための受入座１４２、１４２、・・・が設けられると共に、上部に例えば外部のテストプローブ２などを挿入するための嵌挿孔１４１、１４１、・・・が設けられている。また、前記受入座１４２の上方にも後記の突出部１５３を嵌める孔１４３が複数開けられている。
【０００４】
前記端子装置１４は、蓋部材１５によって覆われている。該蓋部材１５は、一端の両側縁に凸設された支軸１５１、１５１によって前記筐体１０の小穴１２２に回動可能に枢着され、他端は前記端子装置１４が前記開口部１２１から外れないように下向きに折曲げた係止部１５２が形成されている。前記係止部１５２の内側に前記孔１４３に対応して突出部１５３が配設されている。
【０００５】
以上の構成により、この従来のコントロラーモジュール１は、前記電子制御回路装置１３が前記端子装置１４を通して入力された信号に応じて外部の電気装置を制御することができる。なお、前記電子制御回路装置１３は、外部の電気装置のタイプによって取り替えられる。
【０００６】
また、前記電子制御回路装置１３の電気特性を検査するとき、前記蓋部材１５の他端を上方へ回動させて開けた状態にして、図示のように、テストプローブ２を挿入すればよく、前記電子制御回路装置１３を前記筐体１０内から取り出さなくても検査をすることができる。
【発明の開示】
【発明が解決しようとする課題】
【０００７】
しかしながら、前記電子制御回路装置１３の電気特性などを検査するとき、上記嵌挿孔１４１を露出させる必要があり、前記蓋部材１５を上方へ回動させなければならないため、作業に不便である。また、前記蓋部材１５の他端部を上方へ回動させたまま作業を行うので、前記端子装置１４が不意に前記電子制御回路装置１３から脱落する恐れもある。
【０００８】
従って、本発明は、前記問題点を鑑みてなされたもので、前記蓋部材１５を回動せずにテストプローブ２を挿入することができるよう作業性の向上を図るコントロラーモジュールを提供することを目的とする。
【課題を解決するための手段】
【０００９】
上記本発明の目的を達成するコントロラーモジュールは、中空筐体内に収納してある電子制御回路装置によって外部からの入力信号に応答して外部の電気装置を制御するものであって、
前記電子制御回路装置に外部端子と接続されるための接続端子を有し、前記筐体に前記接続端子を露出させるための開口部を開設してあり、
前記開口部にて端子装置が、前記接続端子に脱着可能に接続され、前記端子装置の一端に前記接続端子に接続されるプラグ部が形成され、他端に前記外部からの入力信号を入れるための受入座が設けられると共に、上部に外部のテストプローブを挿入するための嵌挿孔が設けられ、
前記端子装置を覆うように、蓋部材が設けられ、該蓋部材の一端に前記筐体に枢支される支軸が凸設され、他端には、端縁部を折曲げて前記端子装置が前記開口部から脱離しないように係止する係止部が形成されると共に、蓋面に前記嵌挿孔に対応して通孔が設けられ、
前記外部のテストプローブを、前記蓋部材を回動せずに直接前記通孔を通して前記嵌挿孔に抜差し可能に構成される。
【発明の効果】
【００１０】
以上の構成によれば、外部のプローブを直接前記蓋部材の通孔を通して前記端子装置の嵌挿孔に嵌挿することができるので、前記蓋部材を回動させずにそのまま作業することができ、便利である。且つ、前記蓋部材を回動させず前記係止部によって係止されているので、前記端子装置が不意に前記電子制御回路装置から脱落する恐れもなくなる。
【発明を実施するための最良の形態】
【００１１】
本発明の他の特徴及び利点は、添付図面を参照しながら、以下の好適な実施の形態の詳細な説明により明らかとなる。図１は、本発明にかかるコントロラーモジュールの好ましい実施の形態を示す斜視図、図２は、同実施の形態の各構成を示す分解斜視図、図３は、同実施の形態を示す一部分解斜視図である。なお、以下詳細な説明及び図において、同様の構成要素は同じ参照番号が付けられるものとする。
【００１２】
本発明による実施の形態のコントロラーモジュール３は、中空筐体３０内に収納してある電子制御回路装置８によって、外部からの入力信号に応答して外部の電気装置を制御するように構成されている。
【００１３】
図示の如く、筐体３０は、ケース状上蓋部６と、下蓋部６に着脱自在に覆われて前記上蓋部６と共に中空の収容空間を画成しているケース状下蓋部５とにより構成されており、頂端側に外部と連通する開口部６１、６１が形成され、前記収容空間内に前記電子制御回路装置８が格納してある。また、前記筐体３０の下側に平行桟状切欠き５１、５１が設けられ、前記電子制御回路装置８の発熱を発散させるようにする。
【００１４】
前記上蓋部６即ち開口部６１の両側壁にそれぞれの縁側から窪んで一直線に相対する小穴６３、６３が形成されている。前記小穴６３のそれぞれの入り口６３１が奥の窪み６３２より狭く形成されている。
【００１５】
前記電子制御回路装置８に、外部端子と接続されるための接続端子８１を有し、前記筐体３０の開口部６１から前記接続端子８１を露出させている。
【００１６】
前記開口部６１に端子装置９が、前記接続端子８１に脱着可能に接続され、前記端子装置９の一端に前記接続端子８１に接続されるプラグ部９４が形成され、他端に前記外部からの入力信号を入れるための受入座９３、９３、・・・が複数例えば４つ設けられると共に、上部９１に外部のテストプローブ２を挿入するための嵌挿孔９２、９２、・・・が複数例えば４つ設けられている。
【００１７】
蓋部材１００が前記端子装置９を上から覆うように設けられ、該蓋部材１００の一端には両側縁から突出して設けられた前記筐体３０の上蓋部６の小穴６３、６３に枢止される支軸１０１、１０１があり、他端に前記端子装置９を前記開口部６１から脱離しないように端縁部を下向きに折曲げた短冊状係止部１０４が形成されると共に、蓋面１０２に前記嵌挿孔９２に対応して通孔１０３、１０３、・・・が複数例えば４つ設けられている。
【００１８】
以上の構成により、前記蓋部材１００にプローブ挿入のための通孔１０３が設けられているので、前記蓋部材１００を回動させることなく、プローブ２を直接前記通孔１０３を通して前記端子装置９の前記嵌挿孔９２に抜差しすることができる。また、前記端子装置９が前記電子制御回路装置８に接続され、前記蓋部材１００の係止部１０４により一時脱離不能に阻止されているので、容易に何らかのショックにより脱落することなく安定して定位されることができる。
【００１９】
図４、５は、前記蓋部材１００の変形例を示している。図に示されているように、蓋部材１００Ａに、前記蓋面１０２から前記係止部１０４越しに折れ曲がった遮蔽板部１０５が前記端子装置９の受入座９３を遮蔽するように形成されている。前記遮蔽板部１０５の下端縁に半円状切欠き１０５１が複数例えば４つ設けられて、図５のように外部からの端子１１０をより安定にして前記端子装置９の受入座９３に挿入することができる。
【００２０】
以上のように、前記蓋部材１００、１００Ａに前記通孔１０３が設けられているので、前記蓋部材１００、１００Ａを回動させることなく、プローブ２を直接前記通孔１０３を通して前記端子装置９の前記嵌挿孔９２に抜差しできる。したがって、本発明のコントロラーモジュール３、３Ａによれば、作業時の手間を省くことができる。また、前記端子装置９は、前記蓋部材１００、１００Ａによって係止されることができるので、不意に前記電子制御回路装置８から脱離する恐れもなくなる。
【産業上の利用可能性】
【００２１】
本発明のコントロラーモジュールによれば、作業の信頼性を向上させることができ、コストダウンにもつながる。
【図面の簡単な説明】
【００２２】
【図１】図１は、本発明にかかるコントロラーモジュールの好ましい実施の形態を示す斜視図である。
【図２】図２は、同実施の形態の各構成を示す分解斜視図である。
【図３】図３は、同実施の形態における筐体、端子装置及び蓋部材を示す一部分解斜視図である。
【図４】図４は、蓋部材の変形例を取付けたコントロラーモジュールを示す部分分解斜視図である。
【図５】図５は、図４中の使用例を示す斜視図である。
【図６】図６は、従来のコントロラーモジュールの各構成を示す一部分解斜視図である。
【図７】図７は、同従来のコントロラーモジュールの使用例を示す斜視図である。
【符号の説明】
【００２３】
３…コントロラーモジュール、３０…中空筐体、５…下蓋部、５１…切欠き、６…上蓋部、６１…開口部、６３…小穴、６３１…入り口、６３２…窪み、８…電子制御回路装置、８１…接続端子、９…端子装置、９２…嵌挿孔、９３…受入座、９４…プラグ部、１００,１００Ａ…蓋部材、１０１…支軸、１０２…蓋面、１０３…通孔、１０４…係止部、１０５…遮蔽板部、１０５１…切欠き、１１０…外部端子
【図１】
2005134980.tif 000003
【図２】
2005134980.tif 000004
【図３】
2005134980.tif 000005
【図４】
2005134980.tif 000006
【図５】
2005134980.tif 000007
【図６】
2005134980.tif 000008
【図７】
2005134980.tif 000009